(57)【特許請求の範囲】
【請求項１】
机の天板下方に設けられるディスプレイ収納部内に、ディスプレイを前記収納部内から天板上方までの間で昇降させる昇降台が設けられるとともに、前記天板には前記昇降台の通過可能な開口部が設けられ、前記昇降台は、基体部と、コンピュータ等のディスプレイを支持するとともにスライドレールを介して基体部に対して前後方向に移動可能に設けられたディスプレイ支持部と、前記ディスプレイ支持部に固定され該昇降台の上昇時に天板上面よりも上方に位置して前記ディスプレイ支持部と連動して前後移動可能な入力装置支持部と、を有し、更に前記天板における前記昇降台の通過可能な開口部の前方位置には、天板下方の収納部内に納められたパネルを前記天板上に出没自在とする開口部が形成され、かつ前記パネルの収納状態でパネルの上端が天板の開口部から突出する位置にあることを特徴とするディスプレイを内蔵する机。
【請求項２】
前記ディスプレイ支持部は、前記天板における前記ディスプレイ収納部上方に設けられる開口部を通過する際に、前記ディスプレイ支持部と前記開口部との間をケーブルが挿通可能となるように、前記開口部より小さく形成されている請求項１に記載のディスプレイを内蔵する机。
【発明の詳細な説明】
【０００１】
【発明の属する技術分野】
本発明は、パソコンやテレビ等に用いられるディスプレイを内蔵する机に関する。
【０００２】
【従来の技術】
従来、パソコン等のディスプレイが机の天板上に出没自在に装着された机として、例えば特開昭６３−４３６０７号公報や、特公平６−２２４８６号公報等が開示されている。これらの机は、使用時においてディスプレイが天板上に出現され、非使用時においてはディスプレイが天板下方に収納されて、天板上面を広く有効に利用することが出来るようになっている。
【０００３】
そしてこのようにディスプレイが天板上面に出没自在に設けられた机においては、特にディスプレイがコンピュータ等に接続されたものである場合、天板上でディスプレイを使用する際にはその入力装置を使用することが多いため、前記両者の机には入力装置が天板上に出没自在に設けられている。
【０００４】
【発明が解決しようとする課題】
しかしながら、前者の机において入力装置は、非使用時においてはディスプレイを昇降する昇降台の下方に収納され、ディスプレイの使用とともに入力装置が出現されるようになっているが、昇降台の上昇時に天板の一部を昇降台の下面に収納するとともに、スライド台を手前に引き寄せる必要があり、操作、構造が複雑であった。
【０００５】
また、後者の机において入力装置は、ディスプレイとは別箇所の天板下方に設けられているため、構造が複雑になり、コストがかかるといった問題があった。
【０００６】
本発明は、このような問題点に着目してなされたもので、机の構造を複雑にすることなく、必要に応じてディスプレイ及びコンピュータの入力装置等を天板上に出没させることが出来るディスプレイを内蔵する机を提供することを目的とする。
【０００７】
【課題を解決するための手段】
上記課題を解決するために、本発明のディスプレイを内蔵する机は、机の天板下方に設けられるディスプレイ収納部内に、ディスプレイを前記収納部内から天板上方までの間で昇降させる昇降台が設けられるとともに、前記天板には前記昇降台の通過可能な開口部が設けられ、前記昇降台は、基体部と、コンピュータ等のディスプレイを支持するとともにスライドレールを介して基体部に対して前後方向に移動可能に設けられたディスプレイ支持部と、前記ディスプレイ支持部に固定され該昇降台の上昇時に天板上面よりも上方に位置して前記ディスプレイ支持部と連動して前後移動可能な入力装置支持部と、を有し、更に前記天板における前記昇降台の通過可能な開口部の前方位置には、天板下方の収納部内に納められたパネルを前記天板上に出没自在とする開口部が形成され、かつ前記パネルの収納状態でパネルの上端が天板の開口部から突出する位置にあることを特徴としている。
この特徴によれば、昇降台にはディスプレイと入力装置それぞれの支持部が設けられているので、昇降台の上昇操作だけで、天板上にコンピュータのディスプレイと入力装置とが同時に出現され、使用可能な状態になる。また、ディスプレイは入力支持装置の上方のディスプレイ支持部にて支持されるので、ディスプレイの下方、すなわち入力装置支持部を天板の一部として有効に利用できる。
【０００８】
本発明のディスプレイを内蔵する机は、前記ディスプレイ支持部は、前記天板における前記ディスプレイ収納部上方に設けられる開口部を通過する際に、前記ディスプレイ支持部と前記開口部との間をケーブルが挿通可能となるように、前記開口部より小さく形成されていることが好ましい。
このようにすれば、昇降台の昇降時において、ディスプレイや入力装置のケーブル等がディスプレイ支持部に挟まり、昇降動作に支障をきたすことがなくなり、安全である。
【００１０】
【発明の実施の形態】
以下、本発明の実施例を図面に基づいて説明すると、まず図１には本発明の実施例としてのディスプレイが内蔵された机１が示されており、２は天板、３、３は天板２を支持する脚体、４は特に図示しないコンピュータの本体部にケーブルを介して接続されたディスプレイ、５０は同じくコンピュータの本体部にケーブルを介して接続された入力装置としてのキーボード、５、５’は天板２上に出没自在に設けられたパネルをそれぞれ示している。このパネル５、５’は、本実施例においては主に前面に書類や写真等をピンナップすることが可能なピンナップボードとして利用することを目的として形成されている。
【００１１】
天板２の後側には、図２、３に示されるようにディスプレイ４を天板２上に出没自在とする開口部６が形成されており、この開口部６の下方には、天板２、脚体３、背板７、底板８、仕切板９、及び前記開口部６を開閉自在とする開閉蓋１０とから構成されるディスプレイ４の収納部Ｓ１が形成されている。本実施例における開閉蓋１０は、開閉動作が後述する昇降台１９を昇降させるモーター１４の駆動に連動して駆動する適宜モーター（図示略）により行われるようになっている。
【００１２】
また、天板２上におけるこの開口部６の前方位置には、パネル５、５’を天板２上に出没自在とする開口部１１、１１’が形成されており、この開口部１１、１１’の下方には、天板２、脚体３、底板８、仕切板９、幕板１２とから構成されるパネル５、５’の収納部Ｓ２が形成されている。
【００１３】
ディスプレイ４の収納部Ｓ１内には、ディスプレイ４を収納部Ｓ１内と天板２上との間を昇降可能とする昇降装置１３が設けられている。昇降装置１３は、底板８上に固設されるモーター１４と、収納部Ｓ１内上・下部、及び上下方向略中央部に、それぞれ後述する案内レール２３、２３間に水平方向に架設される軸部材１５ａ、１５ｂ、１５ｃに固着されたスプロケット１６ａ、１６ｂ、１６ｃに巻回されたチェーン１７と、このチェーン１７の所定箇所に固定部材１８を介して固定され、チェーン１７の駆動に伴い昇降するディスプレイ４、キーボード５０の昇降台１９とから構成されている。
【００１４】
なお、図２に示されるように下方の軸部材１５ｂは、この一端部に固着されたプーリー２７と、モーター１４の駆動軸１４ａに固着されたプーリー１４ｂとに巻回された連結ベルト２０を介してモーター１４に連動されており、モーター１４の駆動によりチェーン１７が駆動するようになっている。また、このモーター１４の駆動、停止操作は、本実施例においては天板２の開口部６の隣に設けられたスイッチ２１を介して出来るようになっているが、別途箇所に設けられていてもよい。さらに、スイッチ２１の押圧操作により駆動するモーター１４の駆動量、駆動開始・停止制御等は、図示しない制御装置により行われ、種々に設定出来るようになっている。
【００１５】
昇降台１９には、図２、４に示されるように、上面にディスプレイ４の載置板４２を固定するとともに上昇時にディスプレイ４を天板２上所定高さ位置に支持するディスプレイ支持部としての上部支持板５１と、この上部支持台５１より下方に設けられるキーボード支持部としての下部支持板５２と、この下部支持板５２の下部に取り付けられる略Ｌ字型の固定金具４１とから構成されており、上部支持台５１と下部支持台５２との間には、キーボード５０の収納部Ｓ３が形成されている。なお、下部支持板５２は開口部６を閉塞出来る大きさを有しているとともに、上部支持板５１は、開口部６の通過時においてその周縁部と開口部６の周縁部との間に所定隙間（図３、４参照）が形成されるように、下部支持板５２よりも小さめに形成されている。
【００１６】
この昇降台１９の後部には前述したチェーン１７の挿通用の凹部１９ａが形成されており、この凹部１９ａ内には、背板７の内面に、互いに外向きに開口するように上下方向に設けられた横断面略Ｃ字状の案内レール２３、２３、及び前述したチェーン１７が挿通されている。
【００１７】
そしてこの凹部１９ａ内を挿通する案内レール２３内を上下方向に摺動自在に案内されるガイドローラ２４の軸２５が取付板２６を介して固定金具４１に固着されているので、昇降台１９は案内レール２３を介して上下方向に移動可能に支持されている。なお、昇降台１９は上昇時において下部支持台５１が天板２と同高さ位置にて停止されるように設定されている。
【００１８】
次に、パネル５、５’の説明を図２、３に基づいて説明すると、収納部Ｓ２内における仕切板９の内面には、先端がパネル５、５’の両側端にそれぞれ上下方向に形成される凹溝２８内に摺動自在に嵌合するガイド部材２９が固着されており、パネル５、５’が上下方向に移動可能に案内されるようになっている。
【００１９】
パネル５、５’には、パネル５、５’の後面下部に固着された巻取ローラ３０と、一端が仕切板９の上端に固着され、他端が巻取ローラ３０に固着された巻バネ３１とからなる定荷重バネ装置３２が設けられており、巻取ローラ３０に巻き付こうとする力でパネル５、５’が上方に付勢されており、パネル５、５’は収納位置にある時に、仕切板９の下端に固着された係止装置３３のパネル５、５’方向に付勢された係止ピン３４がパネル５、５’下部所定箇所に形成された係止凹部３５に係止されるようになっている。
【００２０】
この係止ピン３４と係止凹部３５との係止はパネル５、５’が収納位置にあるときに、天板２上に突出されるパネル５、５’の上端を上方に引き上げることで簡単に逸脱され、かつパネル５、５’を押し込むことで簡単に係止されるようになっている。よってパネル５、５’は定荷重バネ装置３２により小さな力で簡単に上方に引き上げることが出来るとともに、上方位置において巻バネ３１の巻き取り力により停止され、さらに下方に押圧すれば簡単に収納させることが出来るようになっている。
【００２１】
次に、このように構成された本発明の机１にあっては、ディスプレイ４を使用する場合、スイッチ２１をＯＮ操作することによりモーター１４が駆動され、まず図２に示されるように通常時において天板２の一部を構成する開閉蓋１０が開放され、ついで昇降台１９が収納部Ｓ１内下部の実線位置から上昇し、２点鎖線で示される位置にて停止され、ディスプレイ４及びキーボード５０が天板２上に出現されるので、昇降台１９の上昇により両者が同時に使用可能な状態となる。キーボード５０は使用者がさらに手前の天板２上に引き出して使用する。
【００２２】
また、昇降台１９は下部支持板５２の上面が天板２の上面とほぼ同高さになった時点で停止されるので、開口部６が下部支持板５２により閉塞されて下部支持板５２の上面が天板２の上面の一部となる。そしてこの下部支持板５２と上部支持板５３との間には収納部Ｓ３が形成されているため、ディスプレイ４の下方も天板２の一部として有効に利用することが可能である。
【００２３】
また、ディスプレイ４を収納する場合、まずキーボード５０を収納部Ｓ３内に収納し、スイッチ２１をＯＮ操作することによりモーター１４が逆駆動され、昇降台１９とともにディスプレイ４とキーボード５０とが収納部Ｓ１内に下降されるとともに、開閉蓋１０が閉塞されて天板２上面の一部として有効に利用することが出来る。
【００２４】
なお、ここで図４に示されるようにキーボード５０を収納部Ｓ３内に収納し忘れた状態で誤って昇降台１９の収納操作が行われてしまった場合にあっても、前述のように上部支持板５１の周縁部と開口部６の周縁部との間には所定隙間があるので、キーボード５０より延出されるケーブルＫが断線される恐れがない。
【００２５】
ここで、図４に示されるように、チェーン１７における基体部４０の上下位置に、モーター１４の制御部に連結され、作動とともにモーター１４の電源を停止するリミットセンサＬ１、Ｌ２を設けるとともに、チェーン１７に対して昇降台１９をバネ（図示略）等を介して上下方向に若干移動可能に設けておけば、例えば昇降台１９の昇降中に開口部６と昇降台１９との間にケーブルや使用者の手や衣類等が挟まれた場合にあっても、昇降台１９が上下に移動され、いずれかのリミットセンサＬ１、Ｌ２が働いてモーター１４の電源が切れるようになっていれば、昇降台１９の損傷やケーブルの断線が防止されるだけでなく、使用者の安全性も向上される。
【００２６】
また、パネル５、５’は、例えばピンナップボードとして利用したい場合等において天板２上に突出された上端部を引き上げることで天板２上に容易に立設出来、不要なときは下方に押圧するだけで収納部Ｓ２内に簡単に収納しておくことが出来る。そしてこのパネル５、５’のうち、特にパネル５においては、ディスプレイ４の前方位置において収納、及び立設可能に設けられているため、ディスプレイ４が天板２上の使用状態にある場合においても、パネル５の前面がディスプレイ４により遮られることなく使用者はパネル５を利用することが出来る。
【００２７】
さらに、本実施例におけるパネル５、５’は天板２の左右にそれぞれ分割されているので、いずれか一方のパネルを使用状態とし、他方を収納させて利用することも可能である。
【００２８】
また、図５、６には本発明の他の実施例が示されている。本実施例における昇降台１９の上部には、ディスプレイ４の載置板４２を固定して支持する上部支持板５１が基体部に対して前方に摺動可能に設けられている。上部支持板５１の摺動は、上部支持板５１の左右側下面より垂下される垂板４４外面と、基体部の側板４５の内面との間に介装されるスライドレール４６を介して行われるようになっている。
【００２９】
また、上部支持板５１の下方には、垂板４４を介してキーボード５０の支持部としての支持板５３が固設されており、上部支持板５１の前後摺動に連動するように設けられている。なお、この支持板５３のさらに下方には昇降台１９の上昇時に開口部６を閉塞する蓋板５４が設けられている。
【００３０】
このように上部・下部支持台５１、５３を前後方向に摺動可能に設けることで、使用時にはディスプレイ４及びキーボード５０を手前に引き出して使用することが出来るので、特にキーボード５０等は使用者から取り出し易くなるので、使用者側からの操作性が向上される。なお、上・下部支持板５１、５３の前後摺動がそれぞれ別々に行われるようになっていてもよい。
【００３１】
以上、本発明の実施例を図面により説明してきたが、具体的な構成はこれら実施例に限られるものではなく、本発明の要旨を逸脱しない範囲における変更や追加があっても本発明に含まれる。
【００３２】
例えば、上部支持板５１と下部支持板５２との間隔は任意に設定でき、これらの間に形成される入力装置の収納部が、例えば複数段の棚により分割されていてもよい。
【００３３】
【発明の効果】
本発明は以下の効果を奏する。
【００３４】
（ａ）請求項１項の発明によれば、昇降台にはディスプレイと入力装置それぞれの支持部が設けられているので、昇降台の上昇操作だけで、天板上にコンピュータのディスプレイと入力装置とが同時に出現され、使用可能な状態になる。また、ディスプレイは入力支持装置の上方のディスプレイ支持部にて支持されるので、ディスプレイの下方、すなわち入力装置支持部を天板の一部として有効に利用できる。
【００３５】
（ｂ）請求項２項の発明によれば、昇降台の昇降時において、ディスプレイや入力装置のケーブル等がディスプレイ支持部に挟まり、昇降動作に支障をきたすことがなくなり、安全である。
【００３７】
【図面の簡単な説明】
【図１】本発明の実施例としてのディスプレイを内蔵する机の使用状態を示す斜視図である。
【図２】図１のＡ−Ａ断面図である。
【図３】図２のＢ−Ｂ断面図である。
【図４】図２に対応する作用を示す断面図である。
【図５】本発明の他の実施例としての昇降台、及びその作用を示す断面図である。
【図６】図５の昇降台の使用状態における作用を示す要部斜視図である。
【符号の説明】
１            机
２            天板
３            脚体
４            ディスプレイ
５、５’      パネル
６、１１      開口部
７            背板
８            底板
９            仕切板
１０            開閉蓋
１２            幕板
１３            昇降装置
１４            モーター
１４ａ          駆動軸
１４ｂ、２７    プーリー
１５ａ〜１５ｃ  軸部材
１６ａ〜１６ｃ  スプロケット
１７            チェーン
１８            固定部材
１９            昇降台
１９ａ          凹部
２０            連結ベルト
２１            スイッチ
２３            案内レール
２４            ガイドローラ
２５            軸
２６            取付板
２８            凹溝
２９            ガイドレール
３０            巻取ローラ
３１            巻バネ
３２            定荷重バネ装置
３３            係止装置
３４            係止ピン
３５            係止凹部
３６            ガイド部材
４１            固定金具
４２            載置板
４４            垂板
４５            側板
４６            スライドレール
５０            キーボード（入力装置）
５１            上部支持板（ディスプレイ支持部）
５２、５３      下部支持板（入力装置支持部）
５４            蓋板
Ｓ１、Ｓ２、Ｓ３収納部
Ｌ１、Ｌ２      リミットセンサ（感知装置）
【図１】
0004046418.tif 000002
【図２】
0004046418.tif 000003
【図３】
0004046418.tif 000004
【図４】
0004046418.tif 000005
【図５】
0004046418.tif 000006
【図６】
0004046418.tif 000007